(57)【要約】【課題】光学シートの破損を抑制することができる画像表示装置を提供する。【解決手段】画像表示装置２は、表示パネル２６と、バックライト１２と、表示パネル２６とバックライト１２との間に配置された第１のシート本体部４４と、第１のシート本体部４４の外周部に形成された第１の被支持部４６ｃと、を有する第１の光学シート３８と、第１の光学シート３８と表示パネル２６との間に配置された第２のシート本体部５４と、第２のシート本体部５４の外周部に形成され且つ第１の被支持部４６ｃに対して部分的に重ね合わされた第２の被支持部５６ｃと、を有する第２の光学シート４０と、第１の被支持部４６ｃ及び第２の被支持部５６ｃの各々を支持する下フレーム１０と、第１の被支持部４６ｃ及び第２の被支持部５６ｃの一方が他方からはみ出した状態で、第１の被支持部４６ｃ及び第２の被支持部５６ｃを下フレーム１０に固定する固定テープ７４と、を備える。【選択図】図６Ａ
2018128660.tif 000002
【特許請求の範囲】
【請求項１】
前面に画像を表示する表示パネルと、
前記表示パネルの背面に向けて光を照射するバックライトと、
前記表示パネルと前記バックライトとの間に配置された第１のシート本体部と、前記第１のシート本体部の外周部に形成された第１の被支持部と、を有する第１の光学シートと、
前記第１の光学シートと前記表示パネルとの間に配置された第２のシート本体部と、前記第２のシート本体部の外周部に形成され且つ前記第１の被支持部に対して部分的に重ね合わされた第２の被支持部と、を有する第２の光学シートと、
前記第１の被支持部及び前記第２の被支持部の各々を支持する支持部材と、
前記第１の被支持部及び前記第２の被支持部の一方が他方からはみ出した状態で、前記第１の被支持部及び前記第２の被支持部を前記支持部材に固定する固定部材と、を備える
画像表示装置。
【請求項２】
前記第１の被支持部は、前記第１のシート本体部の外周部から側方に突出するように形成され、
前記第２の被支持部は、前記第２のシート本体部の外周部から側方に突出するように形成されている
請求項１に記載の画像表示装置。
【請求項３】
前記第１の被支持部は、第１の挿通孔を有し、
前記第２の被支持部は、第２の挿通孔を有し、
前記支持部材は、前記第１の挿通孔と前記第２の挿通孔とに挿通される突部を有する
請求項２に記載の画像表示装置。
【請求項４】
前記第１の被支持部及び前記第２の被支持部の一方は、前記第１のシート本体部及び前記第２のシート本体部の各々の外周部に沿った周方向において、前記第１の被支持部及び前記第２の被支持部の他方の少なくとも一端部からはみ出している
請求項２又は３に記載の画像表示装置。
【請求項５】
前記第１の被支持部及び前記第２の被支持部の一方は、前記周方向において、前記第１の被支持部及び前記第２の被支持部の他方の両端部からはみ出している
請求項４に記載の画像表示装置。
【請求項６】
前記支持部材は、前記支持部材を貫通する固定用孔を有し、
前記固定部材は、
前記固定用孔に挿通される挿通部と、
前記挿通部の一端部に形成され、前記第１の被支持部及び前記第２の被支持部の一方が他方からはみ出した状態で、前記第１の被支持部及び前記第２の被支持部に貼り付けられる第１の貼付部と、
前記挿通部の他端部に形成され、前記支持部材に貼り付けられる第２の貼付部と、を有する
請求項１〜５のいずれか１項に記載の画像表示装置。
【発明の詳細な説明】
【技術分野】
【０００１】
本開示は、画像を表示するための画像表示装置に関する。
【背景技術】
【０００２】
特許文献１は、表示パネルと、表示パネルの背面側に配置された下フレームと、下フレームに支持されたバックライトと、表示パネルとバックライトとの間において互いに重ね合わされた状態で配置された複数の光学シートとを備える画像表示装置を開示する。複数の光学シートのうち最も表示パネル側に配置された光学シートの外周部は、粘着テープで下フレームに固定されている。
【先行技術文献】
【特許文献】
【０００３】
【特許文献１】特開２０１４−２０３６０２号公報
【発明の概要】
【発明が解決しようとする課題】
【０００４】
本開示は、光学シートの破損を抑制することができる画像表示装置を提供する。
【課題を解決するための手段】
【０００５】
本開示における画像表示装置は、前面に画像を表示する表示パネルと、表示パネルの背面に向けて光を照射するバックライトと、表示パネルとバックライトとの間に配置された第１のシート本体部と、第１のシート本体部の外周部に形成された第１の被支持部と、を有する第１の光学シートと、第１の光学シートと表示パネルとの間に配置された第２のシート本体部と、第２のシート本体部の外周部に形成され且つ第１の被支持部に対して部分的に重ね合わされた第２の被支持部と、を有する第２の光学シートと、第１の被支持部及び第２の被支持部の各々を支持する支持部材と、第１の被支持部及び第２の被支持部の一方が他方からはみ出した状態で、第１の被支持部及び第２の被支持部を支持部材に固定する固定部材と、を備える。
【発明の効果】
【０００６】
本開示における画像表示装置によれば、光学シートの破損を抑制することができる。
【図面の簡単な説明】
【０００７】
【図１】実施の形態１に係る画像表示装置を示す斜視図である。
【図２】実施の形態１に係る画像表示装置の液晶モジュールを分解して示す分解斜視図である。
【図３】実施の形態１に係る光学シートユニットを分解して示す分解斜視図である。
【図４】実施の形態１に係る画像表示装置の液晶モジュールにおける、光学シートユニットを下フレームに支持するための構造を示す図である。
【図５】実施の形態１に係る画像表示装置の液晶モジュールにおける、図４中の破線の枠線Ｐで囲まれた部分を拡大して示す図である。
【図６Ａ】実施の形態１に係る画像表示装置の液晶モジュールにおける、図４中の破線の枠線Ｑで囲まれた部分を拡大して示す図である。
【図６Ｂ】固定テープを貼り付ける前の状態での、図６Ａの液晶モジュールを示す図である。
【図７】図６ＡのＶＩＩ−ＶＩＩ線による、実施の形態１に係る画像表示装置の液晶モジュールの要部断面図である。
【図８】図６ＡのＶＩＩＩ−ＶＩＩＩ線による、実施の形態１に係る画像表示装置の液晶モジュールの要部断面図である。
【図９】固定テープを貼り付ける前の状態での、実施の形態１に係る画像表示装置の液晶モジュールの一部を拡大して示す斜視図である。
【図１０】実施の形態１に係る画像表示装置の液晶モジュールにおける、図４中の破線の枠線Ｒで囲まれた部分を拡大して示す図である。
【図１１Ａ】実施の形態１に係る画像表示装置の液晶モジュールにおける、図４中の破線の枠線Ｓで囲まれた部分を拡大して示す図である。
【図１１Ｂ】固定テープを貼り付ける前の状態での、図１１Ａの液晶モジュールを示す図である。
【図１２】実施の形態２に係る画像表示装置の液晶モジュールにおける、光学シートユニットを下フレームに支持するための構造を示す図である。
【発明を実施するための形態】
【０００８】
（本開示の基礎となった知見）
本発明者は、「背景技術」の欄において記載した技術に関し、以下の問題が生じることを見出した。
【０００９】
特許文献１の画像表示装置では、複数の光学シートのうち最も表示パネル側に配置された光学シート以外の光学シートは、下フレームに対して完全に固定されない。そのため、例えば画像表示装置の輸送時等において画像表示装置が振動した際には、複数の光学シートが互いに擦れ合うことにより、光学シートの表面に傷が付くおそれがあるという問題が生じる。
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面及び以下の説明を提供するのであって、これらによって特許請求の範囲に記載の主題を限定することを意図するものではない。
【００１２】
（実施の形態１）
以下、図１〜図１１Ｂを参照しながら、実施の形態１について説明する。
【００１３】
［１−１．画像表示装置の全体構成］
まず、図１〜図３を参照しながら、実施の形態１に係る画像表示装置２の全体構成について説明する。図１は、実施の形態１に係る画像表示装置２を示す斜視図である。図２は、実施の形態１に係る画像表示装置２の液晶モジュール４を分解して示す分解斜視図である。図３は、実施の形態１に係る光学シートユニット２２を分解して示す分解斜視図である。
【００１４】
図１に示すように、画像表示装置２は、例えばフラットパネルディスプレイ型の液晶テレビジョン受像機である。画像表示装置２は、液晶モジュール４と、液晶モジュール４の背面を覆うバックカバー６と、液晶モジュール４を支持するスタンド８とを備えている。
【００１５】
液晶モジュール４は、画像（静止画及び動画を含む）を表示するためのユニットである。図２に示すように、液晶モジュール４は、下フレーム１０（支持部材の一例）と、バックライト１２と、反射シート１４と、複数のサポートピン１６と、輝度均一板１８と、拡散板２０と、光学シートユニット２２と、モールドフレーム２４と、表示パネル２６と、ベゼル２８とを備えている。
【００１６】
下フレーム１０は、バックライト１２及び光学シートユニット２２等を支持するための部材であり、ベースプレートとも称される。下フレーム１０は、薄い板金で形成され、ＸＹ平面視で矩形状に形成されている。後述する図４に示すように、画像表示装置２を設置したときの下フレーム１０の上端部１０ａには、Ｘ軸方向に延びる横長の複数の突部３０が形成されている。複数の突部３０の各々は、光学シートユニット２２を支持するためのものであり、例えば板金の切り起こし加工により形成されている。複数の突部３０は、下フレーム１０の上端部１０ａに沿って間隔を置いて配置されている。また、画像表示装置２を設置したときの下フレーム１０の下端部１０ｂには、Ｘ軸方向に延びる横長の複数の突部３２が形成されている。複数の突部３２の各々は、光学シートユニット２２を支持するためのものであり、例えば板金の切り起こし加工により形成されている。複数の突部３２は、下フレーム１０の下端部１０ｂに沿って間隔を置いて配置されている。
【００１７】
バックライト１２は、表示パネル２６の背面に向けて光を照射するための例えば直下型のバックライトである。バックライト１２は、複数のＬＥＤ（Ｌｉｇｈｔ  Ｅｍｉｔｔｉｎｇ  Ｄｉｏｄｅ）シート３４と、複数の中継シート３６とを有している。
【００１８】
複数のＬＥＤシート３４の各々は、光を照射するための部材であり、下フレーム１０の前面（表示パネル２６側の面）に支持されている。複数のＬＥＤシート３４の各々は、フレキシブルプリント基板と、フレキシブルプリント基板の実装面に実装された複数のＬＥＤとを有している。ＬＥＤシート３４のフレキシブルプリント基板の実装面には、複数のＬＥＤからの光を反射するための反射層が形成されている。
【００１９】
複数の中継シート３６の各々は、複数のＬＥＤシート３４を電気的に中継するための部材であり、下フレーム１０の前面に支持されている。複数の中継シート３６の各々は、フレキシブルプリント基板と、フレキシブルプリント基板の実装面に実装された回路部とを有している。回路部は、ＬＥＤシート３４の複数のＬＥＤの各々に電力及び制御信号等を供給するための電気回路である。中継シート３６のフレキシブルプリント基板の実装面には、ＬＥＤシート３４と同様に、反射層が形成されている。
【００２０】
反射シート１４は、複数のＬＥＤシート３４からの光を表示パネル２６の背面に向けて反射するための部材である。反射シート１４は、複数のＬＥＤシート３４及び複数の中継シート３６を覆うように配置され、下フレーム１０の前面に貼り付けられている。反射シート１４には、ＬＥＤシート３４の複数のＬＥＤをそれぞれ反射シート１４上に露出させるための複数の孔が形成されている。
【００２１】
複数のサポートピン１６の各々は、拡散板２０を支持するための部材である。複数のサポートピン１６の各々は、反射シート１４上に配置され、下フレーム１０とともに反射シート１４を挟持する。複数のサポートピン１６の各々は、フランジ部と、フランジ部から突出するピン部とを有している。
【００２２】
輝度均一板１８は、複数のＬＥＤシート３４からの光を均一化するための部材であり、いわゆるフラッター（登録商標）である。輝度均一板１８は、反射シート１４に対向するように配置されている。輝度均一板１８には、複数のサポートピン１６にそれぞれ対応して複数の支持用孔が形成されている。複数の支持用孔の各々にサポートピン１６のピン部が挿通されることにより、輝度均一板１８がサポートピン１６のフランジ部に支持される。また、輝度均一板１８には、大きさの異なる複数の照明用孔が形成されている。具体的には、輝度均一板１８において、ＬＥＤシート３４のＬＥＤの直上には極めて小さい径の照明用孔が形成され、当該ＬＥＤからの距離が大きくなるに従って、より大きい径の照明用孔が形成されている。複数のＬＥＤシート３４からの光が輝度均一板１８の複数の照明用孔の各々を通過することにより、複数のＬＥＤシート３４からの光の配向特性をなだらかにすることができる。
【００２３】
拡散板２０は、複数のＬＥＤシート３４からの光を拡散するための部材である。拡散板２０は、複数のサポートピン１６の各々のピン部に支持された状態で、輝度均一板１８に対向するように配置されている。また、後述する図７に示すように、拡散板２０の外周部は下フレーム１０に支持されている。拡散板２０は、輝度均一板１８によって配向特性がなだらかにされた光をさらに拡散するので、拡散板２０からは輝度ムラの少ない光が出射する。
【００２４】
図３に示すように、光学シートユニット２２は、光学的特性の異なる第１の光学シート３８、第２の光学シート４０及び第３の光学シート４２を含むユニットである。第１の光学シート３８、第２の光学シート４０及び第３の光学シート４２は、この順に重ね合わされた状態で、表示パネル２６と拡散板２０との間に配置されている。なお、第１の光学シート３８は拡散板２０側に配置され、第３の光学シート４２は表示パネル２６側に配置されている。第１の光学シート３８、第２の光学シート４０及び第３の光学シート４２の各々の厚みは、例えば０．１ｍｍ〜０．５ｍｍである。第１の光学シート３８は、拡散板２０から出射した光を集光するための垂直方向のプリズムシートである。第２の光学シート４０は、拡散板２０から出射した光を集光するための水平方向のプリズムシートである。第３の光学シート４２は、拡散板２０から出射した光を偏光させるための反射型偏光シート（例えば、住友スリーエム株式会社製のＤＢＥＦ（登録商標）（Ｄｕａｌ  Ｂｒｉｇｈｔｎｅｓｓ  Ｅｎｈａｎｃｅｍｅｎｔ  Ｆｉｌｍ）シート）である。第１の光学シート３８、第２の光学シート４０及び第３の光学シート４２の各構成については後で詳述する。
【００２５】
モールドフレーム２４は、ＸＹ平面視で矩形状の枠状に形成されている。モールドフレーム２４は、表示パネル２６を支持し、且つ、光学シートユニット２２からバックライト１２までの各部品を下フレーム１０との間で挟持する。
【００２６】
表示パネル２６は、画像を表示するための部材である。表示パネル２６は、複数のガラス板の間に液晶が封入された、いわゆる液晶セルである。表示パネル２６の前面には、画像を表示するための表示面が形成されている。表示パネル２６の外周部は、クッション部材を介してモールドフレーム２４に支持されている。
【００２７】
ベゼル２８は、表示パネル２６の外周部を保護するための部材である。ベゼル２８は、ＸＹ平面視で矩形状の枠状に形成され、表示パネル２６の外周部を覆うようにして配置されている。ベゼル２８は、表示パネル２６から下フレーム１０までの各部品をバックカバー６（図１参照）との間で挟持する。なお、ベゼル２８は、例えばポリカーボネート等の樹脂で形成されている。
【００２８】
図１に示すように、バックカバー６は、液晶モジュール４の下フレーム１０の背面を覆うようにして配置されている。バックカバー６は、例えばポリカーボネート等の樹脂で形成されている。
【００２９】
［１−２．光学シートユニットの構成］
次に、図３を参照しながら、光学シートユニット２２の構造について説明する。
【００３０】
図３に示すように、第１の光学シート３８は、ＸＹ平面視で矩形状の第１のシート本体部４４と、第１のシート本体部４４の上辺４４ａ（外周部の一例）から上方（側方の一例）に突出した複数の第１の被支持部４６ａ，４６ｂ，４６ｃ，４６ｄ及び４６ｅ（４６ａ〜４６ｅ）と、第１のシート本体部４４の下辺４４ｂ（外周部の一例）から下方（側方の一例）に突出した複数の第１の被支持部４８ａ，４８ｂ，４８ｃ，４８ｄ及び４８ｅ（４８ａ〜４８ｅ）とを有している。
【００３１】
複数の第１の被支持部４６ａ〜４６ｅは、第１のシート本体部４４の上辺４４ａに沿って間隔を置いて配置されている。複数の第１の被支持部４６ａ〜４６ｅの各々には、Ｘ軸方向に延びる長孔状の第１の挿通孔５０が形成されている。複数の第１の被支持部４６ａ〜４６ｅの各々のＹ軸方向における大きさは、全て同一である。また、中央の第１の被支持部４６ｃのＸ軸方向における大きさは、残りの第１の被支持部４６ａ，４６ｂ，４６ｄ及び４６ｅの各々のＸ軸方向における大きさよりも大きい。なお、残りの第１の被支持部４６ａ，４６ｂ，４６ｄ及び４６ｅの各々のＸ軸方向における大きさは、全て同一である。
【００３２】
複数の第１の被支持部４８ａ〜４８ｅは、第１のシート本体部４４の下辺４４ｂに沿って間隔を置いて配置されている。複数の第１の被支持部４８ａ〜４８ｅの各々には、Ｘ軸方向に延びる長尺状の第１の切り欠き部５２が形成されている。複数の第１の被支持部４８ａ〜４８ｅの各々のＹ軸方向における大きさは、全て同一である。また、中央の第１の被支持部４８ｃのＸ軸方向における大きさは、残りの第１の被支持部４８ａ，４８ｂ，４８ｄ及び４８ｅの各々のＸ軸方向における大きさよりも大きい。なお、残りの第１の被支持部４８ａ，４８ｂ，４８ｄ及び４８ｅの各々のＸ軸方向における大きさは、全て同一である。
【００３３】
また、第２の光学シート４０は、ＸＹ平面視で矩形状の第２のシート本体部５４と、第２のシート本体部５４の上辺５４ａから上方に突出した複数の第２の被支持部５６ａ，５６ｂ，５６ｃ，５６ｄ及び５６ｅ（５６ａ〜５６ｅ）と、第２のシート本体部５４の下辺５４ｂから下方に突出した複数の第２の被支持部５８ａ，５８ｂ，５８ｃ，５８ｄ及び５８ｅ（５８ａ〜５８ｅ）とを有している。第２のシート本体部５４の大きさは、第１のシート本体部４４の大きさと同一である。
【００３４】
複数の第２の被支持部５６ａ〜５６ｅは、複数の第１の被支持部４６ａ〜４６ｅにそれぞれ対応して、第２のシート本体部５４の上辺５４ａに沿って間隔を置いて配置されている。複数の第２の被支持部５６ａ〜５６ｅの各々には、Ｘ軸方向に延びる長孔状の第２の挿通孔６０が形成されている。複数の第２の被支持部５６ａ〜５６ｅの各々のＹ軸方向における大きさは、全て同一である。また、中央の第２の被支持部５６ｃのＸ軸方向における大きさは、残りの第２の被支持部５６ａ，５６ｂ，５６ｄ及び５６ｅの各々のＸ軸方向における大きさよりも大きく、且つ、第１の被支持部４６ｃのＸ軸方向における大きさよりも小さい。なお、残りの第２の被支持部５６ａ，５６ｂ，５６ｄ及び５６ｅの各々のＸ軸方向における大きさは、全て同一であり、且つ、第１の被支持部４６ａ，４６ｂ，４６ｄ及び４６ｅの各々のＸ軸方向における大きさと同一である。
【００３５】
複数の第２の被支持部５８ａ〜５８ｅは、複数の第１の被支持部４８ａ〜４８ｅにそれぞれ対応して、第２のシート本体部５４の下辺５４ｂに沿って間隔を置いて配置されている。複数の第２の被支持部５８ａ〜５８ｅの各々には、Ｘ軸方向に延びる長尺状の第２の切り欠き部６２が形成されている。複数の第２の被支持部５８ａ〜５８ｅの各々のＹ軸方向における大きさは、全て同一である。また、中央の第２の被支持部５８ｃのＸ軸方向における大きさは、残りの第２の被支持部５８ａ，５８ｂ，５８ｄ及び５８ｅの各々のＸ軸方向における大きさよりも大きく、且つ、第１の被支持部４８ｃのＸ軸方向における大きさよりも小さい。なお、残りの第２の被支持部５８ａ，５８ｂ，５８ｄ及び５８ｅの各々のＸ軸方向における大きさは、全て同一であり、且つ、第１の被支持部４８ａ，４８ｂ，４８ｄ及び４８ｅの各々のＸ軸方向における大きさと同一である。
【００３６】
また、第３の光学シート４２は、ＸＹ平面視で矩形状の第３のシート本体部６４と、第３のシート本体部６４の上辺６４ａから上方に突出した複数の第３の被支持部６６ａ，６６ｂ，６６ｃ，６６ｄ及び６６ｅ（６６ａ〜６６ｅ）と、第３のシート本体部６４の下辺６４ｂから下方に突出した複数の第３の被支持部６８ａ，６８ｂ，６８ｃ，６８ｄ及び６８ｅ（６８ａ〜６８ｅ）とを有している。第３のシート本体部６４の大きさは、第１のシート本体部４４の大きさと同一である。
【００３７】
複数の第３の被支持部６６ａ〜６６ｅは、複数の第１の被支持部４６ａ〜４６ｅにそれぞれ対応して、第３のシート本体部６４の上辺６４ａに沿って間隔を置いて配置されている。複数の第３の被支持部６６ａ〜６６ｅの各々には、Ｘ軸方向に延びる長孔状の第３の挿通孔７０が形成されている。複数の第３の被支持部６６ａ〜６６ｅの各々のＹ軸方向における大きさは、全て同一である。また、複数の第３の被支持部６６ａ〜６６ｅの各々のＸ軸方向における大きさは、全て同一であり、且つ、第１の被支持部４８ａ，４８ｂ，４８ｄ及び４８ｅの各々のＸ軸方向における大きさと同一である。中央の第３の被支持部６６ｃのＸ軸方向における大きさは、第２の被支持部５６ｃのＸ軸方向における大きさよりも小さい。
【００３８】
複数の第３の被支持部６８ａ〜６８ｅは、複数の第１の被支持部４８ａ〜４８ｅにそれぞれ対応して、第３のシート本体部６４の下辺６４ｂに沿って間隔を置いて配置されている。複数の第３の被支持部６８ａ〜６８ｅの各々には、Ｘ軸方向に延びる長尺状の第３の切り欠き部７２が形成されている。複数の第３の被支持部６８ａ〜６８ｅの各々のＹ軸方向における大きさは、全て同一である。また、複数の第３の被支持部６８ａ〜６８ｅの各々のＸ軸方向における大きさは、全て同一であり、且つ、第１の被支持部４８ａ，４８ｂ，４８ｄ及び４８ｅの各々のＸ軸方向における大きさと同一である。中央の第３の被支持部６８ｃのＸ軸方向における大きさは、第２の被支持部５８ｃのＸ軸方向における大きさよりも小さい。
【００３９】
［１−３．光学シートユニットの支持構造］
次に、図４〜図１１Ｂを参照しながら、光学シートユニット２２を下フレーム１０に支持するための構造について説明する。
【００４０】
図４は、実施の形態１に係る画像表示装置２の液晶モジュール４における、光学シートユニット２２を下フレーム１０に支持するための構造を示す図である。図５は、実施の形態１に係る画像表示装置２の液晶モジュール４における、図４中の破線の枠線Ｐで囲まれた部分を拡大して示す図である。図６Ａは、実施の形態１に係る画像表示装置２の液晶モジュール４における、図４中の破線の枠線Ｑで囲まれた部分を拡大して示す図である。図６Ｂは、固定テープ７４を貼り付ける前の状態での、図６Ａの液晶モジュール４を示す図である。図７は、図６ＡのＶＩＩ−ＶＩＩ線による、実施の形態１に係る画像表示装置２の液晶モジュール４の要部断面図である。図８は、図６ＡのＶＩＩＩ−ＶＩＩＩ線による、実施の形態１に係る画像表示装置２の液晶モジュール４の要部断面図である。
【００４１】
図９は、固定テープ７４を貼り付ける前の状態での、実施の形態１に係る画像表示装置２の液晶モジュール４の一部を拡大して示す斜視図である。図１０は、実施の形態１に係る画像表示装置２の液晶モジュール４における、図４中の破線の枠線Ｒで囲まれた部分を拡大して示す図である。図１１Ａは、実施の形態１に係る画像表示装置２の液晶モジュール４における、図４中の破線の枠線Ｓで囲まれた部分を拡大して示す図である。図１１Ｂは、固定テープ７４を貼り付ける前の状態での、図１１Ａの液晶モジュール４を示す図である。
【００４２】
図４に示すように、第１の光学シート３８、第２の光学シート４０及び第３の光学シート４２の各上端部は、下フレーム１０の上端部１０ａに支持されている。また、第１の光学シート３８、第２の光学シート４０及び第３の光学シート４２の各下端部は、下フレーム１０の下端部１０ｂに支持されている。
【００４３】
図５に示すように、下フレーム１０の上端部１０ａにおいて、第１の光学シート３８の第１の被支持部４６ａと、第２の光学シート４０の第２の被支持部５６ａと、第３の光学シート４２の第３の被支持部６６ａとが相互に重ね合わされた状態で配置されている。下フレーム１０の突部３０は、第１の被支持部４６ａの第１の挿通孔５０と、第２の被支持部５６ａの第２の挿通孔６０と、第３の被支持部６６ａの第３の挿通孔７０とに挿通されている。これにより、第１の被支持部４６ａ、第２の被支持部５６ａ及び第３の被支持部６６ａは、下フレーム１０の突部３０に吊り下げられるようにして支持されている。第１の被支持部４６ａ、第２の被支持部５６ａ及び第３の被支持部６６ａの各々の大きさは同一であるため、図５に示すように、第１の被支持部４６ａ及び第２の被支持部５６ａの各々は、第３の被支持部６６ａからはみ出していない。
【００４４】
なお、第１の光学シート３８の熱による膨張及び収縮を吸収するため、第１の被支持部４６ａの第１の挿通孔５０のＸ軸方向における大きさは、突部３０のＸ軸方向における大きさよりも約１．０ｍｍ大きく構成されている。第２の被支持部５６ａの第２の挿通孔６０及び第３の被支持部６６ａの第３の挿通孔７０についても同様である。
【００４５】
上述と同様に、第１の被支持部４６ｂ、第２の被支持部５６ｂ及び第３の被支持部６６ｂは、相互に重ね合わされた状態で、下フレーム１０の突部３０に支持されている。また、第１の被支持部４６ｄ、第２の被支持部５６ｄ及び第３の被支持部６６ｄは、相互に重ね合わされた状態で、下フレーム１０の突部３０に支持されている。さらに、第１の被支持部４６ｅ、第２の被支持部５６ｅ及び第３の被支持部６６ｅは、相互に重ね合わされた状態で、下フレーム１０の突部３０に支持されている。
【００４６】
図６Ａ〜図７に示すように、下フレーム１０の上端部１０ａにおいて、第１の光学シート３８の第１の被支持部４６ｃと、第２の光学シート４０の第２の被支持部５６ｃと、第３の光学シート４２の第３の被支持部６６ｃとが相互に重ね合わされた状態で配置されている。下フレーム１０の突部３０は、第１の被支持部４６ｃの第１の挿通孔５０と、第２の被支持部５６ｃの第２の挿通孔６０と、第３の被支持部６６ｃの第３の挿通孔７０とに挿通されている。これにより、第１の被支持部４６ｃ、第２の被支持部５６ｃ及び第３の被支持部６６ｃは、下フレーム１０の突部３０に吊り下げられるようにして支持されている。
【００４７】
第１のシート本体部４４及び第２のシート本体部５４の各々の外周部に沿った周方向（Ｘ軸方向）において、第１の被支持部４６ｃの大きさは第２の被支持部５６ｃの大きさよりも大きく、且つ、第２の被支持部５６ｃの大きさは第３の被支持部６６ａの大きさよりも大きい。すなわち、第２の被支持部５６ｃは第１の被支持部４６ｃに対して部分的に重ね合わされ、且つ、第３の被支持部６６ｃは第２の被支持部５６ｃに対して部分的に重ね合わされている。そのため、図６Ａ及び図６Ｂに示すように、上記周方向において、第１の被支持部４６ｃは第２の被支持部５６ｃの両端部からはみ出し、且つ、第２の被支持部５６ｃは第３の被支持部６６ｃの両端部からはみ出している。
【００４８】
なお、第１の光学シート３８の熱による膨張及び収縮を吸収するため、第１の被支持部４６ｃの第１の挿通孔５０のＸ軸方向における大きさは、突部３０のＸ軸方向における大きさよりも約０．５ｍｍ大きく構成されている。第２の被支持部５６ｃの第２の挿通孔６０及び第３の被支持部６６ｃの第３の挿通孔７０についても同様である。
【００４９】
また、図６Ａ、図７及び図８に示すように、第１の被支持部４６ｃ、第２の被支持部５６ｃ及び第３の被支持部６６ｃは、固定テープ７４（固定部材の一例）により下フレーム１０に固定されている。固定テープ７４は、コシがあり且つ絶縁性を有する材料、例えばポリカーボネート等で形成された粘着テープである。固定テープ７４の厚みは、例えば約０．１ｍｍである。固定テープ７４の裏面には、粘着層が形成されている。なお、説明の都合上、図４では、固定テープ７４の図示を省略してある。
【００５０】
図９に示すように、固定テープ７４は、挿通部７６と、挿通部７６の一端部に形成された第１の貼付部７８と、挿通部７６の他端部に形成された第２の貼付部８０とを有している。図６Ａに示すように、第１の貼付部７８のＸ軸方向における大きさは、第１の光学シート３８の第１の被支持部４６ｃのＸ軸方向における大きさとほぼ同一である。
【００５１】
図６Ａ、図７及び図９に示すように、挿通部７６は、下フレーム１０に形成された固定用孔８２に挿通される。なお、固定用孔８２は、突部３０の切り起こし加工により形成された、下フレーム１０を厚み方向（Ｚ軸方向）に貫通する孔である。
【００５２】
図６Ａ、図８及び図９に示すように、第１の貼付部７８は、Ｘ軸方向に延びる折り曲げ線８４に沿って折り曲げられ、第１の被支持部４６ｃ、第２の被支持部５６ｃ及び第３の被支持部６６ｃに貼り付けられる。このとき、第１の貼付部７８は、第２の被支持部５６ｃの両端部からはみ出した第１の被支持部４６ｃと、第３の被支持部６６ｃの両端部からはみ出した第２の被支持部５６ｃと、第３の被支持部６６ｃとに貼り付けられる。また、図７及び図９に示すように、第２の貼付部８０は、Ｘ軸方向に延びる折り曲げ線８６に沿って折り曲げられ、下フレーム１０の背面に貼り付けられる。
【００５３】
図１０に示すように、下フレーム１０の下端部１０ｂにおいて、第１の光学シート３８の第１の被支持部４８ａと、第２の光学シート４０の第２の被支持部５８ａと、第３の光学シート４２の第３の被支持部６８ａとが相互に重ね合わされた状態で配置されている。下フレーム１０の突部３２は、第１の被支持部４８ａの第１の切り欠き部５２と、第２の被支持部５６ａの第２の切り欠き部６２と、第３の被支持部６６ａの第３の切り欠き部７２とに係合されている。これにより、第１の被支持部４８ａ、第２の被支持部５８ａ及び第３の被支持部６８ａは、下フレーム１０の突部３２に支持されている。なお、第１の被支持部４８ａ、第２の被支持部５８ａ及び第３の被支持部６８ａの各々の大きさは同一であるため、図１０に示すように、第１の被支持部４８ａ及び第２の被支持部５８ａの各々は、第３の被支持部６８ａからはみ出していない。
【００５４】
上述と同様に、第１の被支持部４８ｂ、第２の被支持部５８ｂ及び第３の被支持部６８ｂは、相互に重ね合わされた状態で、下フレーム１０の突部３２に支持されている。また、第１の被支持部４８ｄ、第２の被支持部５８ｄ及び第３の被支持部６８ｄは、相互に重ね合わされた状態で、下フレーム１０の突部３２に支持されている。さらに、第１の被支持部４８ｅ、第２の被支持部５８ｅ及び第３の被支持部６８ｅは、相互に重ね合わされた状態で、下フレーム１０の突部３２に支持されている。
【００５５】
図１１Ａ及び図１１Ｂに示すように、下フレーム１０の下端部１０ｂにおいて、第１の光学シート３８の第１の被支持部４８ｃと、第２の光学シート４０の第２の被支持部５８ｃと、第３の光学シート４２の第３の被支持部６８ｃとが相互に重ね合わされた状態で配置されている。下フレーム１０の突部３２は、第１の被支持部４８ｃの第１の切り欠き部５２と、第２の被支持部５８ｃの第２の切り欠き部６２と、第３の被支持部６８ｃの第３の切り欠き部７２とに係合されている。これにより、第１の被支持部４８ｃ、第２の被支持部５８ｃ及び第３の被支持部６８ｃは、下フレーム１０の突部３２に支持されている。
【００５６】
第１のシート本体部４４及び第２のシート本体部５４の各々の外周部に沿った周方向（Ｘ軸方向）において、第１の被支持部４８ｃの大きさは第２の被支持部５８ｃの大きさよりも大きく、且つ、第２の被支持部５８ｃの大きさは第３の被支持部６８ａの大きさよりも大きい。そのため、図１１Ａに示すように、上記周方向において、第１の被支持部４８ｃは第２の被支持部５８ｃの両端部からはみ出し、且つ、第２の被支持部５８ｃは第３の被支持部６８ｃの両端部からはみ出している。
【００５７】
また、図１１Ａに示すように、第１の被支持部４８ｃ、第２の被支持部５８ｃ及び第３の被支持部６８ｃは、固定テープ７４により下フレーム１０に固定されている。固定テープ７４による固定方法は上述と同様であるため、説明を省略する。
【００５８】
［１−４．効果等］
本実施の形態では、画像表示装置２は、前面に画像を表示する表示パネル２６と、表示パネル２６の背面に向けて光を照射するバックライト１２と、表示パネル２６とバックライト１２との間に配置された第１のシート本体部４４と、第１のシート本体部４４の外周部に形成された第１の被支持部４６ｃとを有する第１の光学シート３８と、第１の光学シート３８と表示パネル２６との間に配置された第２のシート本体部５４と、第２のシート本体部５４の外周部に形成され且つ第１の被支持部４６ｃに対して部分的に重ね合わされた第２の被支持部５６ｃとを有する第２の光学シート４０と、第１の被支持部４６ｃ及び第２の被支持部５６ｃの各々を支持する下フレーム１０と、第１の被支持部４６ｃ及び第２の被支持部５６ｃの一方が他方からはみ出した状態で、第１の被支持部４６ｃ及び第２の被支持部５６ｃを下フレーム１０に固定する固定テープ７４とを備える。
【００５９】
これにより、第１の被支持部４６ｃ及び第２の被支持部５６ｃの一方が他方からはみ出しているので、第１の被支持部４６ｃ及び第２の被支持部５６ｃの両方を固定テープ７４で下フレーム１０に固定することができる。その結果、例えば画像表示装置２の輸送時等において画像表示装置２が振動した場合であっても、第１の光学シート３８及び第２の光学シート４０が互いに擦れ合うのを抑制することができ、第１の光学シート３８及び第２の光学シート４０の各々が破損するのを抑制することができる。
【００６０】
また、本実施の形態において、第１の被支持部４６ｃは、第１のシート本体部４４の外周部から側方に突出するように形成されている。また、第２の被支持部５６ｃは、第２のシート本体部５４の外周部から側方に突出するように形成されている。
【００６１】
これにより、第１の被支持部４６ｃ及び第２の被支持部５６ｃを固定テープ７４で下フレーム１０に容易に固定することができる。
【００６２】
また、本実施の形態において、第１の被支持部４６ｃは、第１の挿通孔５０を有し、第２の被支持部５６ｃは、第２の挿通孔６０を有している。下フレーム１０は、第１の挿通孔５０と第２の挿通孔６０とに挿通される突部３０を有する。
【００６３】
これにより、第１の被支持部４６ｃ及び第２の被支持部５６ｃを下フレーム１０の突部３０に支持することができ、且つ、第１の被支持部４６ｃ及び第２の被支持部５６ｃを固定テープ７４で下フレーム１０に固定することができる。その結果、第１の光学シート３８及び第２の光学シート４０の各々が破損するのをより効果的に抑制することができる。
【００６４】
また、本実施の形態において、第１の被支持部４６ｃ及び第２の被支持部５６ｃの一方は、第１のシート本体部４４及び第２のシート本体部５４の各々の外周部に沿った周方向において、第１の被支持部４６ｃ及び第２の被支持部５６ｃの他方の少なくとも一端部からはみ出している。
【００６５】
これにより、第１の被支持部４６ｃの第１のシート本体部４４からの突出量、及び、第２の被支持部５６ｃの第２のシート本体部５４からの突出量を小さく抑えることができる。その結果、画像表示装置２の狭額縁化を図ることができる。
【００６６】
また、本実施の形態において、第１の被支持部４６ｃ及び第２の被支持部５６ｃの一方は、周方向において、第１の被支持部４６ｃ及び第２の被支持部５６ｃの他方の両端部からはみ出している。
【００６７】
これにより、画像表示装置２の狭額縁化を図ることができる。さらに、固定テープ７４で固定される第１の被支持部４６ｃ及び第２の被支持部５６ｃの各面積を大きく確保することができるので、第１の被支持部４６ｃ及び第２の被支持部５６ｃを固定テープ７４で下フレーム１０に確実に固定することができる。
【００６８】
また、本実施の形態において、下フレーム１０は、下フレーム１０を貫通する固定用孔８２を有している。固定テープ７４は、固定用孔８２に挿通される挿通部７６と、挿通部７６の一端部に形成され、第１の被支持部４６ｃ及び第２の被支持部５６ｃの一方が他方からはみ出した状態で、第１の被支持部４６ｃ及び第２の被支持部５６ｃに貼り付けられる第１の貼付部７８と、挿通部７６の他端部に形成され、下フレーム１０に貼り付けられる第２の貼付部８０とを有する。
【００６９】
これにより、固定テープ７４が嵩張るのを抑制しながら、第１の被支持部４６ｃ及び第２の被支持部５６ｃを固定テープ７４で下フレーム１０に確実に固定することができる。
【００７０】
（実施の形態２）
次に、図１２を参照しながら、実施の形態２について説明する。
【００７１】
［２−１．画像表示装置の構成］
まず、図１２を参照しながら、実施の形態２に係る画像表示装置２Ａの構成について説明する。図１２は、実施の形態２に係る画像表示装置２Ａの液晶モジュール４Ａにおける、光学シートユニット２２Ａを下フレーム１０に支持するための構造を示す図である。なお、本実施の形態において、上記実施の形態１と同一の構成要素には同一の符号を付して、その説明を省略する。
【００７２】
図１２に示すように、実施の形態２に係る画像表示装置２Ａでは、液晶モジュール４Ａの光学シートユニット２２Ａの構成が上記実施の形態１と異なっている。具体的には、図１２に示すように、第１のシート本体部４４及び第２のシート本体部５４の各々の外周部に沿った周方向（Ｘ軸方向）において、第１の被支持部４６Ａｃは第２の被支持部５６Ａｃの一端部のみからはみ出し、且つ、第２の被支持部５６Ａｃは第３の被支持部６６ｃの一端部のみからはみ出している。
【００７３】
第１の被支持部４６Ａｃ、第２の被支持部５６Ａｃ及び第３の被支持部６６ｃは、上記実施の形態１と同様に、固定テープ７４（図６Ａ参照）により下フレーム１０に固定されている。なお、説明の都合上、図１２では、固定テープ７４の図示を省略してある。
【００７４】
［２−２．効果等］
本実施の形態では、第１の被支持部４６ｃ及び第２の被支持部５６ｃの一方は、第１のシート本体部４４及び第２のシート本体部５４の各々の外周部に沿った周方向において、第１の被支持部４６ｃ及び第２の被支持部５６ｃの他方の少なくとも一端部からはみ出している。
【００７５】
これにより、第１の被支持部４６ｃの第１のシート本体部４４からの突出量、及び、第２の被支持部５６ｃの第２のシート本体部５４からの突出量を小さく抑えることができる。その結果、画像表示装置２の狭額縁化を図ることができる。
【００７６】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００７７】
そこで、以下、他の実施の形態を例示する。
【００７８】
上記各実施の形態では、第１のシート本体部４４及び第２のシート本体部５４の各々の外周部に沿った周方向において、第１の被支持部４６ｃ（４６Ａｃ）は第２の被支持部５６ｃ（５６Ａｃ）の両端部（一端部）からはみ出し、且つ、第２の被支持部５６ｃ（５６Ａｃ）は第３の被支持部６６ｃの両端部（一端部）からはみ出すように構成したが、これに限定されない。例えば、上記周方向に垂直な方向（Ｙ軸方向）において、第１の被支持部４６ｃ（４６Ａｃ）が第２の被支持部５６ｃ（５６Ａｃ）の先端部からはみ出し、且つ、第２の被支持部５６ｃ（５６Ａｃ）が第３の被支持部６６ｃの先端部からはみ出すように構成してもよい。このとき、例えば、第１の被支持部４６ｃ（４６Ａｃ）を第１のシート本体部４４の上辺４４ａ（下辺４４ｂ）の一端から他端に亘って形成し、第２の被支持部５６ｃ（５６Ａｃ）を第２のシート本体部５４の上辺５４ａ（下辺５４ｂ）の一端から他端に亘って形成し、第３の被支持部６６ｃを第３のシート本体部６４の上辺６４ａ（下辺６４ｂ）の一端から他端に亘って形成してもよい。
【００７９】
上記各実施の形態では、光学シートユニット２２（２２Ａ）を下フレーム１０に支持させたが、これに限定されず、例えば光学シートユニット２２（２２Ａ）をモールドフレーム２４（支持部材の一例）に支持させてもよい。
【００８０】
上記各実施の形態では、光学シートユニット２２（２２Ａ）の３枚の光学シートを、拡散板２０側から順に第１の光学シート、第２の光学シート及び第３の光学シートとしたが、これに限定されず、表示パネル２６側から順に第１の光学シート、第２の光学シート及び第３の光学シートとしてもよい。あるいは、３枚の光学シートの中から任意の順列で第１の光学シート、第２の光学シート及び第３の光学シートとしてもよい。
【００８１】
以上のように、本開示における技術の例示として、実施の形態を説明した。そのために、添付図面及び詳細な説明を提供した。
【００８２】
したがって、添付図面及び詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８３】
また、上述の実施の形態は、本開示における技術を例示するためのものであるから、特許請求の範囲又はその均等の範囲において種々の変更、置き換え、付加、省略などを行うことができる。
【産業上の利用可能性】
【００８４】
本開示は、画像を表示するための画像表示装置に適用可能である。具体的には、例えば液晶テレビジョン受像機等の画像表示装置に、本開示は適用可能である。
【符号の説明】
【００８５】
２，２Ａ  画像表示装置
４，４Ａ  液晶モジュール
６  バックカバー
８  スタンド
１０  下フレーム
１０ａ  上端部
１０ｂ  下端部
１２  バックライト
１４  反射シート
１６  サポートピン
１８  輝度均一板
２０  拡散板
２２，２２Ａ  光学シートユニット
２４  モールドフレーム
２６  表示パネル（液晶セル）
２８  ベゼル
３０，３２  突部
３４  ＬＥＤシート
３６  中継シート
３８，３８Ａ  第１の光学シート
４０，４０Ａ  第２の光学シート
４２  第３の光学シート
４４  第１のシート本体部
４４ａ，５４ａ，６４ａ  上辺
４４ｂ，５４ｂ，６４ｂ  下辺
４６ａ，４６ｂ，４６ｃ，４６ｄ，４６ｅ，４６Ａｃ，４８ａ，４８ｂ，４８ｃ，４８ｄ，４８ｅ  第１の被支持部
５０  第１の挿通孔
５２  第１の切り欠き部
５４  第２のシート本体部
５６ａ，５６ｂ，５６ｃ，５６ｄ，５６ｅ，５６Ａｃ，５８ａ，５８ｂ，５８ｃ，５８ｄ，５８ｅ  第２の被支持部
６０  第２の挿通孔
６２  第２の切り欠き部
６４  第３のシート本体部
６６ａ，６６ｂ，６６ｃ，６６ｄ，６６ｅ，６８ａ，６８ｂ，６８ｃ，６８ｄ，６８ｅ  第３の被支持部
７０  第３の挿通孔
７２  第３の切り欠き部
７４  固定テープ
７６  挿通部
７８  第１の貼付部
８０  第２の貼付部
８２  固定用孔
８４，８６  折り曲げ線
【図１】
2018128660.tif 000003
【図２】
2018128660.tif 000004
【図３】
2018128660.tif 000005
【図４】
2018128660.tif 000006
【図５】
2018128660.tif 000007
【図６Ａ】
2018128660.tif 000008
【図６Ｂ】
2018128660.tif 000009
【図７】
2018128660.tif 000010
【図８】
2018128660.tif 000011
【図９】
2018128660.tif 000012
【図１０】
2018128660.tif 000013
【図１１Ａ】
2018128660.tif 000014
【図１１Ｂ】
2018128660.tif 000015
【図１２】
2018128660.tif 000016